(57)【要約】      （修正有）【課題】電気さく用本器において、錠付ネジフタの錠に鍵をかけて、錠付ネジフタを螺脱できないようにして、盗難されにくい錠前付電気さく用本器を提供する。【解決手段】錠前付電気さく用本器Ｈ１は、電源収納部Ｈ２入口付近に突き状の止め部Ｈ３を設け、前記電源収納部に螺嵌脱可能なネジ蓋に、前記止め部Ｈ３と衝止可能となる止め金Ｈ８に連動させる錠前を設けた錠前付ネジ蓋を備えたことを特徴とする。【選択図】図６
0003183476.tif 000002
【実用新案登録請求の範囲】
【請求項１】
電源収納部入口付近に突き状の止め部を設け、前記電源収納部に螺嵌脱可能なネジフタに、前記止め部と衝止可能となる止め金に連動させる錠前を設けた錠前付ネジフタとを備える錠前付電気牧柵器
【考案の詳細な説明】
【技術分野】
【０００１】  本考案は、田畑に猪、鹿等の害獣が侵入するのを防止するために、田畑の周囲に設置される電気さく用本器に関するものである。
【背景技術】
【０００２】  図１に示すように、中山間地域の農村地帯の田畑では猪（Ａ１）や鹿なとの害獣が侵入するのを防止するために、田畑の周囲に裸電線（Ａ２）を張り巡らし、この裸電線（Ａ２）に電気さく用本器（Ａ３）からの衝撃電圧を印加するようにした電気柵が使用されている。図２に示すのが電気さく用本器（Ａ３）の拡大図である。図３に示すのが電気さく用本器（Ａ３）の電源収納部からネジ蓋（Ａ４）を外したところである。
【先行技術文献】
【特許文献】
【０００３】
【特許文献１】実用新案登録第３１４９８６２号
【考案の概要】
【考案が解決しようとする課題】
【０００４】  電気さく用本器（Ａ３）は盗難が多く発生している。そのために、特許文献１に記載の電気さく用本器の盗難防止具は、図４に示すように本器用支柱（４０）と本抗（５）と固定抗（７）を地中に打ち込むことで電気さく用本器（Ａ３）を盗まれにくいようにしている。
しかし、何者かが本器用支柱（４０）と本抗（５）と固定抗（７）を地中から掘り出してしまえば電気さく用本器（Ａ３）はその場から持ち去られる状態となる。
その電気さく用本器（Ａ３）を盗んだ犯人は盗んだ電気さく用本器（Ａ３）を中古農機店に売りに行き現金化する。それが犯人の目的である。そこで、盗まれにくい電気さく用本器が求められていた。
本考案は、以上の点を鑑みて創案されたものであり、電気さく用本器（Ａ３）において、窃盗後、犯人が中古農機店に売りさばくことができない、錠前付電気さく用本器（Ｈ１）を提供することを目的とする。
【課題を解決するための手段】
【０００５】  上記の目的を達成するために、本考案の錠前付電気さく用本器は、電源収納部入口付近に突き状の止め部を設け、前記電源収納部に螺嵌脱可能なネジ蓋に、前記止め部と衝止可能となる止め金を連動させる錠前を設けた錠前付ネジ蓋を備える。【０００６】  ここで、本考案の錠前付電気さく用本器は、電源収納部入口付近に突き状の止め部を設け、前記電源収納部に螺嵌脱可能なネジ蓋に、前記止め部と衝止可能となる止め金を連動させる錠前を設けた錠前付ネジ蓋とによって、鍵の所有者が錠に鍵を差し込み、鍵を回して錠付ネジ蓋を螺脱できないようにできる。
【考案の効果】
【０００７】  本考案に係る錠前付電気さく用本器は、鍵の所有者が錠に鍵を差し込み、鍵を回して錠付ネジ蓋を螺脱できないようにできる。
【図面の簡単な説明】
【０００８】
【図１】電気さくの概要図。
【図２】従来の電気さく用本器の斜視図。
【図３】従来の電気さく用本器の電源収納部のネジ蓋を外した斜視図。
【図４】従来の盗難防止具の参考図。
【図５】本考案の錠前付電気さく用本器の第１実施態様を示す斜視図。鍵は引き抜いてある。
【図６】第１実施態様の本考案の錠前付電気さく用本器の錠付ネジ蓋を外した参考図。錠と連動する錠付ネジ蓋の内側にある止め金は点線で描いている。
【図７Ａ】第１実施態様の錠付ネジ蓋を正面から見た参考図。
【図７Ｂ】第１実施態様の錠付ネジ蓋を電源収納部に螺嵌した状態の正面参考図。電源収納部を点線で描き、電源の電池は描いていない。
【図８】図７（Ｂ）の下部付近を拡大した参考図。
【図９】第１実施態様の錠に鍵を差し込んだところの参考図。
【図１０】第１実施態様の鍵を時計回りに回した参考図。
【図１１】第１実施態様の錠付ネジ蓋を反時計回りに回した参考図。
【図１２】本考案の錠前付電気さく用本器の第２実施態様を示す斜視図。鍵は引き抜いてある。
【図１３】第２実施態様の本考案の錠前付電気さく用本器の錠付ネジ蓋を外した参考図。錠と連動する錠付ネジ蓋の内側にある止め金内臓部は点線で描いている。
【図１４】第２実施態様の錠付ネジ蓋を正面から見た参考図。
【図１５】第２実施態様の錠付ネジ蓋を電源収納部に螺嵌した状態の正面参考図。電源収納部を点線で描き、電源の電池は描いていない。
【図１６】図１５において、錠の中心部奥に位置する止め金を点線で描いた正面参考図。
【図１７】図１５の内部の様子を錠前付電気さく用本器の正面から描いた参考図。錠付ネジ蓋外側の十字の凸部は描いていない。
【図１８】図１５の錠付近を拡大して、錠に鍵を差し込んだ参考図。
【図１９】図１８から鍵を時計回りに回した参考図
【図２０】図１９の内部の様子を本器の正面から描いた参考図。錠付ネジ蓋外側の十字の凸部は描いていない。
【考案を実施するための形態】
【０００９】  以下、本考案の実施の形態について図面を参照しながら説明し、本考案の理解に供する。
図５に示すのは本考案の錠前付電気さく用本器（Ｈ１）の第１実施態様を示す外観であ    る。普段、鍵（Ｈ７）は錠（Ｈ５）から引き抜いてあり、鍵（Ｈ７）は錠前付電気さ    く用本器（Ｈ１）の所有者が所持している。
図６に示すのは電源収納部（Ｈ２）から錠付ネジ蓋（Ｈ６）を取り外したところである。錠付ネジ蓋（Ｈ６）の内側に点線で描いたものが止め金（Ｈ８）である。
図７Ａは図５の錠付ネジ蓋（Ｈ６）を正面から見たところである。
図７Ｂは錠付ネジ蓋（Ｈ６）を電源収納部（Ｈ２）に螺嵌した正面参考図である。点線は錠付ネジ蓋（Ｈ６）の内側の様子であり、止め金（Ｈ８）は止め部（３）に突きあたっている。
図８は図７の下部を拡大したところである。
（Ａ）鍵（Ｈ７）を持つ錠前付電気さく用本器（Ｈ１）の所有者が電源収納部（Ｈ２）    から錠付ネジ蓋（Ｈ６）を外す手順を次に示す。
▲１▼図９に示すように錠（Ｈ５）に鍵（Ｈ７）を差し込む。
▲２▼図１０に示すように鍵（Ｈ７）を時計回りに回す。
すると、錠（Ｈ５）と連動して止め金（Ｈ８）は錠付ネジ蓋（Ｈ６）の中央寄りに      移動する。
▲３▼図１１に示すように錠付ネジ蓋（Ｈ６）を反時計回りに回す。
止め金（Ｈ８）は止め部（Ｈ３）にあたらないので、錠付ネジ蓋（Ｈ６）を取り外      すことができる。
（Ｂ）また、窃盗犯が窃盗する場合を次に示す。
▲１▼窃盗犯は鍵（Ｈ７）を所有していない。
▲２▼窃盗犯は鍵（Ｈ７）のない本考案の錠前付電気さく用本器（Ｈ１）を持ち去る      。
▲３▼窃盗犯は換金するために、盗品である鍵（Ｈ７）のない本考案の錠前付電気さ      く用本器（Ｈ１）を中古農機店に持ち込む。
▲４▼窃盗犯は「農業を廃業したので売る」などと言い、盗品である鍵（Ｈ７）のな      い本考案の錠前付電気さく用本器（Ｈ１）を中古農機店に差し出す。
▲５▼中古農機店は窃盗犯が差し出した鍵（Ｈ７）のない本考案の錠前付電気さく用      本器について検分する。
▲６▼中古農機店は錠付ネジ蓋（Ｈ６）を回してみるが、錠付ネジ蓋は当然回らず取      り外せない。
▲７▼中古農機店は窃盗犯が錠（Ｈ５）に合う鍵（Ｈ７）をもっていないのことを確      認する。
▲８▼この時、中古農機店は鍵（Ｈ７）のない本考案の錠前付電気さく用本器（Ｈ１      ）は盗品であると断定する。
▲９▼中古農機店は盗品買い入れについて古物営業法及び刑法に次の規定があること      を熟知している。
（イ）盗品の疑いがある時は警察官へ通報義務。
（ロ）盗品を有償で買い入れた場合、懲役及び罰金。（無償の場合、懲役）。
▲１０▼中古農機店は▲９▼の理由により、鍵（Ｈ７）のない本考案の錠前付電気さ      く用本器（Ｈ１）の仕入れを拒否する。
▲１１▼中古農機店は警察に通報する。
▲１２▼中古農機店に鍵（Ｈ７）のない本考案の錠前付電気さく用本器（Ｈ１）を持      ちこんだ窃盗犯は、警察に拘束される。
そして、盗品は盗難届けを出していた錠前付電気さく用本器（Ｈ１）の所有者に返      還される。
▲１３▼錠前付電気さく用本器（Ｈ１）の所有者は、自身が所有している鍵（Ｈ７）      を錠（Ｈ５）に差し込み錠付ネジ蓋（Ｈ６）を取り外すことができ、錠前付電気さ      く用本器（Ｈ１）は通常に使用できる。
よって、本考案の錠前付電気さく用本器（Ｈ１）の第１実施態様は盗難されにくい      。
図１２に示すのは本考案の錠前付電気さく用本器（Ｈ１）の第２実施態様を示す外観である。普段、鍵（Ｈ７）は錠（Ｈ５）から引き抜いてあり、鍵（Ｈ７）は錠前付電気さく用本器（Ｈ１）の所有者が所持している。
図１３に示すのは電源収納部（Ｈ２）から錠付ネジ蓋（Ｈ６）を取り外したところである。錠付ネジ蓋（Ｈ６）の内側に点線で描いたものが止め金内臓部（Ｈ９）である。
図１４は図１２の錠付ネジ蓋（Ｈ６）を正面から見たところである。
図１５は錠付ネジ蓋（Ｈ６）を電源収納部（Ｈ２）に螺嵌した正面参考図である。点線は錠付ネジ蓋（Ｈ６）の内側の様子である。
図１６は図１５において、錠の中心部奥に位置する止め金を点線で描いた参考図であり、止め金（Ｈ８）が止め部（Ｈ３）に突き当たっているのがわかる。
図１７は図１５の内部の様子を錠前付電気さく用本器の正面から描いた参考図であり、錠付ネジ蓋外側の十字の凸部は描いていない。この図でも止め金（Ｈ８）が止め部（Ｈ３）に突き当たっているのがわかる。
（Ｃ）鍵（Ｈ７）を持つ錠前付電気さく用本器（Ｈ１）の所有者が電源収納部（Ｈ２）  から錠付ネジ蓋（Ｈ６）を外す手順を次に示す。
▲１▼図１８に示すように錠（Ｈ５）に鍵（Ｈ７）を差し込む。
▲２▼図１９に示すように鍵（Ｈ７）を時計回りに回す。
すると、図２０に示すように錠（Ｈ５）と連動して止め金（Ｈ８）は止め金内臓部      （Ｈ９）内に移動する。
▲３▼錠付ネジ蓋（Ｈ６）を反時計回りに回す。
止め金（Ｈ８）は止め金内臓部（Ｈ９）内にあり、止め部（Ｈ３）にあたらないの      で、錠付ネジ蓋（Ｈ６）を取り外すことができる。
（Ｄ）そして、窃盗犯が窃盗する場合は前記（Ｂ）と同じ経緯をたどる。
よって、本考案の錠前付電気さく用本器（Ｈ１）の第２実施態様は盗難されにくい      。
【符号の説明】
【００１０】５    本杭
７    固定杭
４０  本器用支柱
Ａ１  猪
Ａ２  裸電線
Ａ３  電気さく用本器
Ａ４  ネジ蓋
Ｈ１  錠前付電気さく用本器
Ｈ２  電源収納部
Ｈ３  止め部
Ｈ４  ネジ山
Ｈ５  錠
Ｈ６  錠付ネジ蓋
Ｈ７  鍵
Ｈ８  止め金
Ｈ９  止め金内臓部
【図１】
0003183476.tif 000003
【図２】
0003183476.tif 000004
【図３】
0003183476.tif 000005
【図４】
0003183476.tif 000006
【図５】
0003183476.tif 000007
【図６】
0003183476.tif 000008
【図７Ａ】
0003183476.tif 000009
【図７Ｂ】
0003183476.tif 000010
【図８】
0003183476.tif 000011
【図９】
0003183476.tif 000012
【図１０】
0003183476.tif 000013
【図１１】
0003183476.tif 000014
【図１２】
0003183476.tif 000015
【図１３】
0003183476.tif 000016
【図１４】
0003183476.tif 000017
【図１５】
0003183476.tif 000018
【図１６】
0003183476.tif 000019
【図１７】
0003183476.tif 000020
【図１８】
0003183476.tif 000021
【図１９】
0003183476.tif 000022
【図２０】
0003183476.tif 000023